(57)【特許請求の範囲】
【請求項１】
発光素子およびこの発光素子の駆動電流に高周波電流を重畳する高周波重畳回路を備える発光装置であって、
前記発光素子が搭載される搭載部を有し、予め定める方向で前記搭載部を挟んで係合部および固定部が設けられ、かつ導電性を有する基台と、
前記高周波重畳回路が搭載され、前記発光素子に電気的に接続されて、かつグランド電位が与えられるべきグランドライン部を有するフレキシブルプリント配線基板と、
導電性を有し、前記基台とともに、前記発光素子の光が出射される部分を除く残余の部分、前記高周波重畳回路、および前記発光素子と前記フレキシブルプリント配線基板とが接続される部分を覆うように前記基台に設けられ、前記予め定める方向の一端部の近傍に前記係合部に係合される被係合部が形成され、前記予め定める方向の他端部に前記固定部との間で前記フレキシブルプリント配線基板を挟んで前記基台に固定される取付部とを有するシールドケースと、
導電性を有し、前記被係合部が前記係合部に向かって押し当て密着するように、前記取付部を前記固定部に着脱可能に固定する固定部材とを含み、
前記グランドライン部が、前記基台および前記シールドケースのうちの少なくともいずれか一方と接触し、
前記固定部材は、ねじ部材によって形成され、
前記取付部は、弾発性を有する板ばねによって形成され、
前記取付部には、前記固定部材が挿通され、係合部から離反するに連れて徐々に小さくなるカム形状の孔が形成されることを特徴とする発光装置。
【請求項２】
前記被係合部は、前記予め定める方向において、前記基部に臨んで突出する第１半球面を有する突部を有し、
前記係合部は、第１半球面と等しい半径を有する第２半球面を有し、前記突部が嵌合される凹部を有することを特徴とする請求項１に記載の発光装置。
【請求項３】
前記係合部は、前記予め定める方向に突出し、シールドケースの外表面に当接する突部
を有し、
前記被係合部は、前記突部が挿通される挿通孔を有し、
前記シールドケースは、前記被係合部から基部に向かう方向に延びて、基部に当接することを特徴とする請求項１に記載の発光装置。
【請求項４】
前記フレキシブルプリント配線基板は、前記係合部および前記被係合部に挟まれて、前記グランドライン部が、前記係合部および前記被係合部のうちの少なくともいずれか一方と接触することを特徴とする請求項１に記載の発光装置。
【請求項５】
請求項１の発光装置を備え、記録媒体に光を照射して、情報の記録および再生のうち少なくともいずれか一方を行うことを特徴とする光ピックアップ装置。
【発明の詳細な説明】
【技術分野】
【０００１】
本発明は、高周波回路が発光素子に高周波電流を与えることによって発生する高周波ノイズが周囲環境に及ぼす影響を抑制する発光装置およびそれを備える光ピックアップ装置に関する。
【背景技術】
【０００２】
コンパクトディスク（Compact Disc：略称ＣＤ）、デジタルバーサタイルディスク（  Digital Versatile Disc：略称ＤＶＤ）、さらには青色レーザを用いた次世代の記録媒体（High-Density DVD：略称ＨＤ−ＤＶＤおよびBlue-lay Disc：略称ＢＤ）などの光記録媒体に、情報の記録および再生のうちのいずれか一方に用いられる光ピックアップ装置には、短波長および高出力のシングルモードの半導体レーザが用いられている。この半導体レーザのノイズを低減する１つの手法として高周波重畳法がある。高周波重畳法では、レーザ光の出力変化に左右されない安定した特性を得るために、半導体レーザの駆動電流に高周波電流を重畳させる。半導体レーザの駆動電流に高周波電流を重畳させる高周波重畳回路は、光ピックアップ装置では、半導体レーザに電力および電気信号を送るために備えられるフレキシブルプリント配線基板（略称ＦＰＣ基板）に設けられている。このような高周波重畳回路を備えることによって、この高周波重畳回路で発生する高周波電流が回路を流れてしまい、不要な輻射を発生することによって高周波ノイズが発生する。
【０００３】
このような問題を解決するための技術として、光ピックアップ装置のピックアップ基台に高周波重畳回路のグランド部とそれを覆うシールドケースを電気的に接続することによって、フレキシブルプリント基板を伝搬する高周波ノイズをピックアップ基台に逃がすとともに、高周波電流が輻射することによって発生する高周波ノイズをシールドケースで受け止めて、電気的な接続を介してピックアップ基台側に逃がして不要輻射の発生を防御する装置が開示されている（たとえば、特許文献１参照）。この高周波ノイズによる不要輻射を抑えるために、導電性のあるピックアップ基台を大容量のグランドとし、ピックアップ基台と、フレキシブルプリント基板の高周波重畳回路のグランドライン部と、高周波重畳回路とを覆うシールドケースを、設計上の空間的な制約および部品ならびに作業コストの削減などの理由から、導電性を有するビスによって１ヶ所で締結している。このため、ピックアップ基台と、フレキシブルプリント配線基板の高周波重畳回路のグランドライン部と、シールドケースとは、電気的にも１ヶ所で接続されている。
【０００４】
【特許文献１】特開平１１―１４４２８３号公報
【発明の開示】
【発明が解決しようとする課題】
【０００５】
従来の技術のように、導電性を有するビスでシールドケースとピックアップ基部とを１箇所で固定するだけでは、シールドケースのうち、この固定部分から最も離反する部分におけるグランドへの密着が不十分となり、電気的な接続が不安定になる。このように電気的な接続が不安定になると、電荷がシールドケースからピックアップ基台へ逃げる経路を失い、シールドケースの端面などから不要輻射が再放出される。
【０００６】
したがって本発明の目的は、シールドケースの端面から再放出される不要輻射を低減させることができる発光装置およびそれを備える光ピックアップ装置を提供することである。
【課題を解決するための手段】
【０００７】
本発明は、発光素子およびこの発光素子の駆動電流に高周波電流を重畳する高周波重畳回路を備える発光装置であって、
前記発光素子が搭載される搭載部を有し、予め定める方向で前記搭載部を挟んで係合部および固定部が設けられ、かつ導電性を有する基台と、
前記高周波重畳回路が搭載され、前記発光素子に電気的に接続されて、かつグランド電位が与えられるべきグランドライン部を有するフレキシブルプリント配線基板と、
導電性を有し、前記基台とともに、前記発光素子の光が出射される部分を除く残余の部分、前記高周波重畳回路、および前記発光素子と前記フレキシブルプリント配線基板とが接続される部分を覆うように前記基台に設けられ、前記予め定める方向の一端部の近傍に前記係合部に係合される被係合部が形成され、前記予め定める方向の他端部に前記固定部との間で前記フレキシブルプリント配線基板を挟んで前記基台に固定される取付部とを有するシールドケースと、
導電性を有し、前記被係合部が前記係合部に向かって押し当て密着するように、前記取付部を前記固定部に着脱可能に固定する固定部材とを含み、
前記グランドライン部が、前記基台および前記シールドケースのうちの少なくともいずれか一方と接触し、
前記固定部材は、ねじ部材によって形成され、
前記取付部は、弾発性を有する板ばねによって形成され、
前記取付部には、前記固定部材が挿通され、係合部から離反するに連れて徐々に小さくなるカム形状の孔が形成されることを特徴とする発光装置である。
【００１０】
また本発明は、前記被係合部は、前記予め定める方向において、前記基部に臨んで突出する第１半球面を有する突部を有し、
前記係合部は、第１半球面と等しい半径を有する第２半球面を有し、前記突部が嵌合される凹部を有することを特徴とする。
【００１１】
また本発明は、前記係合部は、前記予め定める方向に突出し、シールドケースの外表面に当接する突部を有し、
前記被係合部は、前記突部が挿通される挿通孔を有し、
前記シールドケースは、前記被係合部から基部に向かう方向に延びて、基部に当接することを特徴とする。
【００１２】
また本発明は、前記フレキシブルプリント配線基板は、前記係合部および前記被係合部に挟まれて、前記グランドライン部が、前記係合部および前記被係合部のうちの少なくともいずれか一方と接触することを特徴とする。
【００１５】
また本発明は、前記発光装置を備え、記録媒体に光を照射して、情報の記録および再生のうち少なくともいずれか一方を行うことを特徴とする光ピックアップ装置である。
【発明の効果】
【００１６】
本発明によれば、予め定める方向で搭載部を挟んで係合部および固定部が基台に設けられ、シールドケースのうち予め定める方向の一端部に形成される被係合部が、前記係合部に係合され、他端部が固定部に固定部によって固定される。フレキシブルプリント配線基板は、固定部と取付部とに挟まれ、グランド部が基台およびシールドケースの少なくともいずれか一方に接触する。基台とシールドケースとは、導電性を有するので、グランド部の電位と基台およびシールドケースとの電位を等電位とすることができ、グランド部を介して電荷をシールドケースおよび基台に逃がすことができる。
【００１７】
固定部材は、被係合部が係合部に向かって押し当てられるように、取付部を固定部に着脱可能に固定するので、シールドケースのうち取付部から最も離反する被係合部においても、基台とシールドケースとが密着する。これによって、基台とシールドケースとの電気的な接続が安定し、電荷がシールドケースから基台へ逃げる経路を確保してシールドケースの端面から再放出される不要輻射を低減することができる。
【００１８】
また本発明によれば、記録媒体に光を照射して、情報の記録および再生のうち少なくともいずれか一方を行うときに、発光素子からの出射光の出力変化に左右されない安定した特性を得るための高周波重畳回路が設けられる光ピックアップ装置において、不要輻射を低減することができる。
【発明を実施するための最良の形態】
【００１９】
図１は、本発明の第１の実施の形態の光ピックアップ装置１０の一部を拡大して示す平面図である。図２は、光ピックアップ装置１０の一部を拡大して示す側面図であり、図１の右側から見て示す。光ピックアップ装置１０は、基台１と、発光素子である半導体レーザ素子２と、高周波重畳回路３と、フレキシブルプリント配線基板（以下、フレキシブル基板という）４と、固定部材であるねじ部材５と、シールドケース６とを含んで構成される。
【００２０】
基台１には、半導体レーザ素子２に加えて、図示しないが回折格子、コリメータレンズ、立ち上げミラーおよび対物レンズなどの光学系部品と、受光素子と、対物レンズを駆動するアクチュエータとが設けられる。基台１は、導電性を有する金属から成る。基台１は、半導体レーザ素子２が取付けられる取付部１１を有する。半導体レーザ素子２は、光が出射される第１部分１２と、取付部１１に固定される第２部分１３と、端子が露出して設けられる第３部分１４とを有する。第１部分１２と第３部分１４とは、第２部分１３を挟んで設けられ、第２部分１３が第１部分１２と第３部分１４よりもレーザ光の出射方向に垂直な予め定める方向に突出する。以下、前記予め定める方向をＸ方向とし、Ｘ方向に垂直で、かつ互いに垂直な２方向をＹ方向およびＺ方向として説明する。Ｘ方向は、図１では左右であり、Ｙ方向は、図１では上下方向であり、Ｚ方向は図１では、紙面に垂直な方向である。
【００２１】
基台１には、Ｙ方向の一方Ｙ１の端部２１に取付部１１が形成される。前記端部２１には、Ｙ方向に段差面が形成される。前記端部２１には、半導体レーザ素子２のＸ方向の両側にそれぞれ形成され、半導体レーザ素子２が固定され、かつＹ方向に垂直な取付面２３が形成される第１基部２４と、Ｘ方向において各第１基部２４の相互に離反する方向の端部に連なり、第１基部２４よりもＹ方向の一方Ｙ１に突出する第２基部２５とを有する。第１および第２基部２４，２５によって取付部１１が形成される。
【００２２】
第２基部２５のうちＸ方向の一方Ｘ１を第２基部２５ａとする。この第２基部２５ａには、Ｘ方向の一方Ｘ１に連なり、かつＹ方向の一方Ｙ１の端部が、第２基部２５ａよりもＹ方向の一方Ｙ１に突出する固定部２７が形成される。固定部２７のＹ方向の一方Ｙ１の端面２８は、Ｙ方向に垂直に形成される。固定部２７には、Ｙ方向の一方に開口するねじ孔２９が形成される。
【００２３】
第２基部２５のうちＸ方向の他方Ｘ２を第２基部２５ｂとする。この第２基部２５ｂのＸ方向の他方Ｘ２の端部には、Ｘ方向に垂直な平面を有する平面部３１と、この平面部３１からＸ方向の一方に突出する突部３２とを備える係合部３３が形成される。前記突部３２は、第２基部２５ｂのうちＹ方向の一方Ｙ１の端部で、かつＺ方向の中央部に設けられる。突部３２は、Ｙ方向の一方Ｙ１の端部にＸ方向の他方Ｘ２に向かうに連れて、Ｙ方向の他方Ｙ２に傾斜する案内面３４を有し、Ｚ方向における断面形状が台形状に形成される。案内面３４を形成することによって、シールドケース６を取付けるときに、シールドケース６の被係合部３８を円滑に係合部３３に案内することができる。また突部３２のＹ方向の他方Ｙ２の端面３５は、Ｙ方向に垂直に形成される。
【００２４】
半導体レーザ素子２は、第１部分１２が第１基部２４の間に挿入され、第２部分１３のうち第１部分寄りの端部で、Ｙ方向の他方Ｙ２の端面を、前記第１部分１２の取付面２３に接触させて固定される。
【００２５】
フレキシブル基板４は、半導体レーザ素子２の第３部分１４に接続される。フレキシブル基板４は、グランド電位が与えられるべきグランドライン部と、半導体レーザ素子２の端子と、高周波重畳回路３とに電気的に接続され、外部から与えられる駆動電流および高周波重畳回路３によって前記駆動電流に高周波電流が重畳された重畳駆動電流を伝送する配線部とを有する。フレキシブル基板４は、固定部２７と、半導体レーザ素子２の第３部分１４との間にわたって設けられる。フレキシブル基板４は、固定部２７においてシールドケース６との間に挟まれる。フレキシブル基板４のうち、固定部２７において挟まれる部分では、前記グランドライン部がフレキシブル基板４の外部に露出して設けられる。グランドライン部は、フレキシブル基板４の厚み方向の一方または他方、あるいは両方の面上で露出する。
【００２６】
高周波重畳回路３は、フレキシブル基板４に搭載される。高周波重畳回路３は、光ピックアップ装置１０において、半導体レーザ素子２のノイズを低減するために設けられる。光ピックアップ装置１０を用いた記録媒体への情報の記録および記録媒体からの情報の読出しにおいて、レーザ光の出力変化に左右されない安定した特性を得るために、高周波重畳回路３は、半導体レーザ素子２の駆動電流に高周波電流を重畳させる。駆動電流に高周波電流が重畳された重畳駆動電流は、フレキシブル基板４の配線部を介して半導体レーザ素子２の端子に与えられる。
【００２７】
シールドケース６は、導電性を有する金属によって形成される。シールドケース６は、基台１とともに、半導体レーザ素子２の第１部分１２を除く残余の部分、高周波重畳回路３、および半導体レーザ素子２とフレキシブル基板４とが接続される部分を覆うように基台１に設けられる。シールドケース６は、有底筒状に形成され、略直方体形状を有する。シールドケース６のＹ方向の他方Ｙ２に開口が形成される。
【００２８】
シールドケース６は、第１および第２基部２４，２５についても、基台１の残余の部分と連なる端部を除いて覆う。第１および第２基部２４，２５は、基台１のうち第１および第２基部２４，２５に連なる部分２６のＺ方向の幅よりも、その幅が小さく形成され、前記部分２６のＺ方向の両表面から退避して形成される。シールドケース６のＺ方向の幅は、前記部分２６のＺ方向の幅よりも小さく形成される。これによって、シールドケース６を取付けたときに、シールドケース６が基台１のＺ方向に突出しないようにすることができる。
【００２９】
シールドケース６のＸ方向の一方Ｘ１の端部には、取付部３６が形成される。取付部３６は、Ｙ方向の中間部からＸ方向の一方に突出する取付片３６ａを有する。取付片３６ａは板状に形成され、Ｘ方向の他方Ｘ２の端部が固定部２７上でフレキシブル基板４に当接し、Ｘ方向の一方Ｘ１に向かうに連れて固定部２７からＹ方向の一方Ｙ１に離反する方向に延びる。シールドケース６を形成する金属は、ばね性を有し、たとえば銅、アルミニウムなどによって実現される。これによって取付片３６ａが、シールドケース６のうち取付片３６ａの基端部が連結される部分とともに板ばねとして機能する。取付片３６ａには、Ｙ方向に貫通する貫通孔が形成される。
【００３０】
シールドケース６のＹ方向の他方Ｘ２の端部３７には、前記係合部３３に係合される被係合部３８が形成される。被係合部３８のうち、開口の近傍には、Ｘ方向に貫通する係合孔３９が形成される。係合孔３９に前記突部３２が挿入され、被係合部３８が係合部３３に係合されて、係止される。
【００３１】
取付部３６と固定部２７との間には、フレキシブル基板４が挟まれる。フレキシブル基板４には、前記ねじ孔２９および取付部３６の貫通孔に対応する位置に孔が形成される。取付部３６は、ねじ部材５によって、固定部２７に着脱可能に固定される。ねじ部材５の頭部５ａの径は、前記取付部３６の貫通孔よりも大きく形成され、ねじ部材５のねじが形成される部分が、前記取付部３６の貫通孔、フレキシブル基板４の貫通孔に挿通されて、ねじ孔２９に螺着される。
【００３２】
ねじ部材５を螺進させることによって、頭部５ａによって取付片３６ａが固定部２７に向かって押圧される。前述のように取付片３６ａが押圧されることによって、取付片３６ａの基端部を支点とした梃子の作用によって、図１の矢符Ｆ１で示すように、シールドケース６のＸ方向において取付部３６から最も離反する前述した端部３７をＹ方向の一方に押圧する復元力が発生する。これによって、被係合部３８が係合部３３に向かって押し当てられて、両者が密着する。またねじ部材５は、導電性を有する。これによって、ねじ部材５によってシールドケース６と基台１とが電気的に接続される。
【００３３】
以上のように、光ピックアップ装置１０では、フレキシブル基板４は、固定部２７と取付片３６ａとに挟まれ、グランド部が基台１およびシールドケース６の少なくとも一方と接触する。基台１とシールドケース６とねじ部材５とは導電性を有するので、グランド部の電位と基台１およびシールドケース６との電位を等電位とすることができ、グランド部を介して電荷をシールドケース６および基台１に逃がすことができる。またねじ部材５によって固定される部分から最も離反した位置にある取付片３６ａと、被係合部３８とにおいて、シールドケース６を基台１に電気的に確実に接続することができるので、シールドケース６に発生する電荷の滞留を阻止することができる。これによって、基台１とシールドケース６との電気的な接続が安定し、電荷がシールドケース６から基台１へ逃げる経路を確保してシールドケース６の端面から再放出される不要輻射を低減することができる。この、光ピックアップ装置１０が設けられるディスクドライブ装置に含まれる回路の動作を安定させることができ、この回路を流れる信号の品質の低下を抑制することができ、信頼性の向上されたディスクドライブ装置を実現することができる。
【００３４】
図３は、本発明の第２の実施の形態の光ピックアップ装置５０の一部を拡大して示す側面図である。図４は、光ピックアップ装置５０の一部を拡大して示す平面図である。図５は光ピックアップ装置５０の一部を拡大して示す側面図である。図３は、図４の上側から見て示し、図５は図４の右側から見て示す。本実施の形態の光ピックアップ装置５０は、前述した図１に示す実施の形態の光ピックアップ装置１０と同様な構成を有し、その一部が異なるのみであるので、同様の構成には同様の参照符号を付して、異なる部分のみを説明する。本実施の形態では、シールドケース６の取付部３６の取付片３６ａは、固定部２７の表面に沿って延びる。
【００３５】
図６は、取付片３６ａを拡大して示す平面図である。取付片３６ａには、ねじ部材５が挿通される貫通孔５１が形成される。この貫通孔５１は、被係合部３８から離反するに連れて、すなわちＸ方向の一方Ｘ１に向かうに連れて、徐々に小さくなるカム形状に形成される。ここでカム形状とは、Ｘ方向およびＹ方向に平行な平面において、半径の異なる２つの円を、その中心軸をＸ方向に異ならせて重ねた卵形状である。
【００３６】
ねじ部材５のねじが形成される部分５ｂの外形は、前記２つの円のうちの半径の大きな円と略等しく選ばれる。前記２つの円のうち半径の小さな円は、半径の大きな円よりもわずかに半径が小さく選ばれる。またねじ部材５を螺着していない状態では、前記ねじ孔２９の軸線が、貫通孔５１の前記２つの円のうち半径の大きな円の軸線よりもＸ方向の他方Ｘ２に位置する。また２つの円のうち半径の大きな円の直径は、ねじ部材５のねじが形成される部分５ｂの外径に等しく選ばれる。このような状態で、ねじ部材５を螺着するときに、ねじ部材５が２つの円のうち半径が大きな円で囲まれる領域に相対的に移動しようとするが、ねじ部材５が螺着される位置は移動しないので、シールドケース６がＸ方向の一方Ｘ１に引っ張られ、図４の矢符Ｆ２方向に向かう力によって被係合部３８が、係合部３３の平面部３１に押し当てられて密着する。
【００３７】
以上のように、光ピックアップ装置５０では、前述した光ピックアップ装置１０と同様の効果を達成することができ、またシールドケース６を形成する金属がばね性を有するものに限定されないので、設計の自由度が向上する。また係合部３３と被係合部３８とは、面接触するので、広い範囲で基台１とシールドケース６とが当接して、より信頼性を向上させることができる。
【００３８】
図７は、本発明の第３の実施の形態の光ピックアップ装置６０における取付片３６ａを拡大して示す平面図である。光ピックアップ装置６０と、前述した図３に示す光ピックアップ装置５０とは、貫通孔５１が異なるのみであり、他の構成は同様であるので、同様の部分には同様の参照符号を付して、異なる部分についてのみ説明する。
【００３９】
取付片３６ａには、ねじ部材５が挿通される貫通孔６１が形成される。この貫通孔６１の内径は、ねじ部材５のねじが形成される部分５ｂの外形とほぼ等しく形成される。貫通孔６１は、ねじ部材５を螺着していない状態では、ねじ孔２９の軸線Ｌ１が、貫通孔６１の軸線Ｌ２よりもＸ方向の一方Ｘ１にわずかに離間するように形成される。これによって、ねじ部材５をねじ孔２９に螺着するときに、取付片３６ａがＸ方向の一方Ｘ１に引っ張られ、前述の実施の形態と同様に図４の矢符Ｆ２で示す力が生じて、被係合部３８が、係合部３３の平面部３１に押し当てられて密着する。
【００４０】
以上のように、光ピックアップ装置６０では、前述した光ピックアップ装置５０と同様の効果を達成することができ、貫通孔６１を複雑な形状にする必要がないので、生産性を向上させることができる。
【００４１】
図８は、本発明の第４の実施の形態の光ピックアップ装置７０の一部を拡大して示す平面図である。図９は、光ピックアップ装置７０の一部を拡大して示す側面図であり、図８の右側から見て示す。光ピックアップ装置７０と、前述した図３に示す光ピックアップ装置５０とは、係合部３３および被係合部３８の形状が異なるのみであり、他の構成は同様であるので、同様の部分には同様の参照符号を付して、異なる部分についてのみ説明する。
【００４２】
前述の実施の形態では、係合部３３は、平面部３１と突部３２とを有しているが、本実施の形態では、係合部３３は、平面部３１と凹部７１とを有する。凹部７１は、第２基部２５ｂのＸ方向の他方Ｘ２の端部で、Ｚ方向の中央部に設けられ、その内周面が半球面に形成される。凹部７１の周囲に平面部３１が形成される。
【００４３】
前述の実施の形態では、被係合部３８には係合孔３９が形成されるが、本実施の形態では、被係合部３８には、係合孔３９の換わりに、第２基部２５ｂに向かってＸ方向の一方Ｘ１に突出する突部７２を有する。突部７２の外表面は、前記凹部に形成される内周面に含まれる半球面と等しい半径を有する半球面を有する。前記突部７２が前記突部７２に嵌合することによって、係合部３３が被係合部３８に係合して、係止される。
【００４４】
以上のように、光ピックアップ装置７０では、前述した光ピックアップ装置５０と同様の効果を達成することができ、さらに突部７２の半球面と、凹部７１の半球面とを確実に面接触させることできるので、より信頼性を向上させることができる。
【００４５】
本実施の形態では、突部７２の外表面と、凹部７１の内周面とを共に半球面としているが、これらは半球面に限らず、たとえば円錐面としてもよい。
【００４６】
図１０は、本発明の第５の実施の形態の光ピックアップ装置８０の一部を拡大して示す平面図である。図１１は、光ピックアップ装置８０の一部を拡大して示す側面図であり、図１０の右側から見て示す。光ピックアップ装置８０と、前述した図３に示す光ピックアップ装置５０とは、係合部３３および被係合部３８の形状が異なるのみであり、他の構成は同様であるので、同様の部分には同様の参照符号を付して、異なる部分についてのみ説明する。
【００４７】
本実施の形態では、突部３２のＸ方向の他方Ｘ２の端部８１には、前記端面３５よりもＹ方向の他方に突出して、シールドケース６の外表面に、Ｘ方向の他方Ｘ２側から当接する部分８２が形成される。また被係合部３８は、係合孔３９のＹ方向の他方Ｙ２の部分３８ａが、前記他方Ｙ２に向かうに連れて、第２基部２５ｂに近接する方向に傾斜して、開口端が第２基部２５ｂに当接する。
【００４８】
以上のように、光ピックアップ装置８０では、前述した光ピックアップ装置５０と同様の効果を達成することができ、さらに、係合部３３および被係合部３８が接触する部分において、複数の位置で基台１とシールドケース６とが接触するので、より信頼性を向上させることができる。
【００４９】
図１２は、本発明の第５の実施の形態の光ピックアップ装置９０の一部を拡大して示す平面図である。光ピックアップ装置９０は、前述した図３に示す光ピックアップ装置５０において、フレキシブル基板４を、係合部３３および被係合部３８によって挟持させた構成であり、他の構成は光ピックアップ装置５０と同様であるので、同様の部分には同様の参照符号を付して、異なる部分についてのみ説明する。
【００５０】
フレキシブル基板４は、係合部３３と被係合部３８とが接続される部位まで延びて形成される。またフレキシブル基板４に形成されるグランド部についても、係合部３３と被係合部３８とが接続される部位まで形成され、この部位でフレキシブル基板４の外表面に露出している。フレキシブル基板４は、係合部３３と被係合部３８とが接続される部位で、前記係合部３３と被係合部３８とに挟まれる。フレキシブル基板４には、前記係合部３３の突部３２が挿通される孔が形成され、この孔に突部３２が挿通されて、延在方向の端部が、第２基部２５ｂの平面部３１とシールドケース６の内周面とに挟まれる。これによって、グランド部が、係合部３３および被係合部３８のうちの少なくともいずれかと接触する。
【００５１】
以上のように、光ピックアップ装置９０では、前述した光ピックアップ装置５０と同様の効果を達成することができ、さらにグランド部を、フレキシブル基板４の延在方向の両端部で、それぞれ基台１およびシールドケース６に接触させることができるので、グランド部の電位をより安定させることができ、信頼性を向上させることができる。
【００５２】
図１３は、本発明の第６の実施の形態の光ピックアップ装置１００における取付片３６ａを拡大して示す平面図であり、図１４および図１５は、取付片３６ａを固定部２７に取付ける様子を示す断面図である。本実施の形態の光ピックアップ装置１００は、前述した図７に示す実施の形態の光ピックアップ装置６０と同様な構成を有し、その一部が異なるのみであるので、同様の構成には同様の参照符号を付して、異なる部分のみを説明する。
【００５３】
本実施の形態では、取付片３６ａのうち、貫通孔６１に臨む周縁部分１０１が固定部２７側に突出する。前記周縁部分１０１の外径は、ねじ部材５の頭部５ａの外径よりも小さく選ばれる。前記周縁部分１０１は、板状の取付片３６ａの前記周縁部分１０１を固定部２７側に押出すことによって形成される。これによって、ねじ部材５によって取付部３６を固定部２７に固定するときに、ねじ部材５を螺着すると、前記周縁部分１０１がフレキシブル基板４に押圧されて、フレキシブル基板４のグランド部に固定部２７および取付片３６ａのうち少なくともいずれか一方を、より確実に接触させることができる。
【００５４】
以上のように、光ピックアップ装置１００では、前述した光ピックアップ装置６０と同様の効果を達成することができ、さらにグランド部と基台１およびシールドケース６との電気的な接続の信頼性を向上させることができる。
【００５５】
図１６は、本発明の第８の実施の形態の光ピックアップ装置１１０の一部を拡大して示す側面図である。図１７は、光ピックアップ装置１１０の一部を拡大して示す平面図である。図１８は、図１６の切断面線ＸＩＸ−ＸＩＸから見た断面図である。図１９は、取付片３６ａが固定部２７に固定される部分を拡大して示す図である。図１６は、図１７の上側から見て示す。光ピックアップ装置１１０と、前述した図３に示す光ピックアップ装置５０とは、固定部２７および取付片３６ａの形状と、取付片３６ａを固定部２７に固定する固定部材とが異なり、他の構成は同様であるので、同様の部分には同様の参照符号を付して、異なる部分についてのみ説明する。
【００５６】
前述した実施の形態では、固定部２７にはねじ孔２９が形成されているが、本実施の形態では、固定部２７には、Ｙ方向の一方Ｙ１方向に突出する固定片１１１が設けられる。固定片１１１は、固定部材であり、導電性を有する。固定片１１１の遊端部１１２には、Ｙ方向の他方Ｙ２に突出する係止部１１３が形成される。
【００５７】
取付片３６ａには、貫通孔１１４が形成される。貫通孔１１４は、挿入される固定片１１１が遊通可能な大きさに形成される。フレキシブル基板４には、グランド部に接続されるランド部１１５が設けられる。ランド部１１５は、前記貫通孔１１４から露出する位置に設けられる。ランド部１１５と、シールドケース６とは、半田から成る半田接合部１１６よって接合される。半田接合部１１６は、貫通孔１１４の端部に設けられる。
【００５８】
半田接合部１１６によってフレキシブル基板４が接合されたシールドケース６に、被係合部３８から取付部３６に向かう方向に力を加えながら、取付片３６ａの貫通孔１１４を固定片１１１に圧入する。これによって、シールドケース６がＸ方向の一方Ｘ１に引っ張られ、図１７の矢符Ｆ２方向に向かう力によって被係合部３８が、係合部３３の平面部３１に押し当てられて密着する。また貫通孔１１４に固定片１１１を圧入した後、取付片３６ａを図２０の矢符Ｆ３で示す方向に引き寄せて、固定部２７と固定片１１１の係止部１１３との間にフレキシブル基板４および取付片３６ａの一部を挟持させ、半田接合部１１６と固定片１１１とを接触させる。これによって、ねじ部材５を用いなくても、シールドケース６が基台１から離反する方向に不所望に移動することが確実に抑制されるとともに、シールドケース６と基台１とが電気的に接続される。
【００５９】
以上のように、光ピックアップ装置１１０では、前述した光ピックアップ装置５０と同様の効果を達成することができ、さらにフレキシブル基板４のグランド部とシールドケース６とが半田によって確実に接合されるので、グランド部と基台１およびシールドケース６との電気的な接続の信頼性を向上させることができる。
【００６０】
本発明のさらに他の実施の形態では、前述した各実施の形態の構成を組み合わせて光ピックアップ装置を構成してもよい。また、本発明のさらに他の実施の形態では、光ピックアップ装置に限らず、高周波重畳回路を備える発光装置に前述した構成を適用してもよい。
【図面の簡単な説明】
【００６１】
【図１】本発明の第１の実施の形態の光ピックアップ装置１０の一部を拡大して示す平面図である。
【図２】光ピックアップ装置１０の一部を拡大して示す側面図である。
【図３】本発明の第２の実施の形態の光ピックアップ装置５０の一部を拡大して示す側面図である。
【図４】光ピックアップ装置５０の一部を拡大して示す平面図である。
【図５】光ピックアップ装置５０の一部を拡大して示す側面図である。
【図６】取付片３６ａを拡大して示す平面図である。
【図７】本発明の第３の実施の形態の光ピックアップ装置６０における取付片３６ａを拡大して示す平面図である。
【図８】本発明の第４の実施の形態の光ピックアップ装置７０の一部を拡大して示す平面図である。
【図９】光ピックアップ装置７０の一部を拡大して示す側面図である。
【図１０】本発明の第５の実施の形態の光ピックアップ装置８０の一部を拡大して示す平面図である。
【図１１】光ピックアップ装置８０の一部を拡大して示す側面図である。
【図１２】本発明の第５の実施の形態の光ピックアップ装置９０の一部を拡大して示す平面図である。
【図１３】本発明の第６の実施の形態の光ピックアップ装置１００における取付片３６ａを拡大して示す平面図である。
【図１４】取付片３６ａを固定部２７に取付ける様子を示す断面図である。
【図１５】取付片３６ａを固定部２７に取付ける様子を示す断面図である。
【図１６】本発明の第８の実施の形態の光ピックアップ装置１１０の一部を拡大して示す側面図である。
【図１７】光ピックアップ装置１１０の一部を拡大して示す平面図である。
【図１８】図１６の切断面線ＸＩＸ−ＸＩＸから見た断面図である。
【図１９】取付片３６ａが固定部２７に固定される部分を拡大して示す図である。
【符号の説明】
【００６２】
１  基台
２  半導体レーザ素子
３  高周波重畳回路
４  フレキシブルプリント配線基板
５  ねじ部材
６  シールドケース
１０，５０，６０，７０，８０，９０，１００，１１０  光ピックアップ装置
１１  取付部
２７  固定部
３３  係合部
３６  取付部
３６ａ  取付片
３８  被係合部
３９  係合孔
【図１】
0004704396.tif 000002
【図２】
0004704396.tif 000003
【図３】
0004704396.tif 000004
【図４】
0004704396.tif 000005
【図５】
0004704396.tif 000006
【図６】
0004704396.tif 000007
【図７】
0004704396.tif 000008
【図８】
0004704396.tif 000009
【図９】
0004704396.tif 000010
【図１０】
0004704396.tif 000011
【図１１】
0004704396.tif 000012
【図１２】
0004704396.tif 000013
【図１３】
0004704396.tif 000014
【図１４】
0004704396.tif 000015
【図１５】
0004704396.tif 000016
【図１６】
0004704396.tif 000017
【図１７】
0004704396.tif 000018
【図１８】
0004704396.tif 000019
【図１９】
0004704396.tif 000020